(57)【要約】【課題】  管板に対する反応管の溶接部分の点検と保守を容易にする。【解決手段】  触媒支持装置１は、線材２を反応管の内径寸法よりも大きな外径寸法ｘのコイル形状に巻いたコイル巻き部３と、その一端側で線材２を渦巻形状に巻いて、触媒を通過させずに流体を通過させる開口６を形成した触媒受け部４と、コイル巻き部３の他端側で線材２をコイル巻き部３の軸方向と平行に或る寸法延ばした挿入量調整部９と、挿入量調整部９の他端側で線材２をコイル巻き部３の径方向内向きに屈曲させた捩じり力付与部５を備えた構成とする。触媒受け部４の係止部７と、捩じり力付与部５に対し、コイル巻き部３の巻きを増加させるように相対的に回転させる方向の力を掛けて、コイル巻き部３を縮径させた状態で反応管に挿入した後、コイル巻き部３を、その復元力により反応管の内周面に密着させて、反応管に充填される触媒を支持させる。【選択図】図１
2014213256.tif 000002
【特許請求の範囲】
【請求項１】
多管式反応器の触媒を充填する反応管の少なくとも重力作用方向に位置する端部に触媒が脱落しないように取り付けるための反応管用触媒支持装置であって、
弾性を有する線材を上記反応管の内径寸法よりも大きい外径寸法を有するコイル形状に巻いたコイル巻き部と、
触媒は通過させないが流体は通過させる大きさの開口を備えて、上記コイル巻き部の軸方向の一端側に設けた触媒受け部と、
上記コイル巻き部の内側から上記触媒受け部に対しコイル巻き部の巻きを増加させるように回転させる方向の力を付与するための係止部と、
上記コイル巻き部の軸方向の他端側に、コイル巻き部の巻きを増加させるように回転させる方向の力を付与するために設けた捩じり力付与部とを備えてなる構成
を有することを特徴とする反応管用触媒支持装置。
【請求項２】
コイル巻き部は、軸方向に配列される各周回の線材同士が接するコイル形状とした請求項１記載の反応管用触媒支持装置。
【請求項３】
触媒受け部は、コイル巻き部の軸方向に直交する面内に配置されるものとした請求項１又は２記載の反応管用触媒支持装置。
【請求項４】
コイル巻き部と捩じり力付与部との間に、コイル巻き部の軸方向に平行に延びる挿入量調整部を備えるようにした請求項１から請求項３のいずれか一項に記載の反応管用触媒支持装置。
【発明の詳細な説明】
【技術分野】
【０００１】
本発明は、多管式反応器の反応管の下端部に取り付けて、反応管に充填される触媒が脱落しないように支持するための反応管用触媒支持装置に関するものである。
【背景技術】
【０００２】
触媒を用いて原料から反応生成物を連続的に製造するプロセスでは、発熱反応や吸熱反応である生成反応の進行に伴う温度変化を防止するために、生成反応の実施時に、熱媒との間接的な熱交換を並行して行わせることにより、反応温度条件を一定に維持することが行われている。
【０００３】
この種の熱媒と原料及び反応生成物との熱交換を用いて反応温度条件をコントロールしながら、生成反応を効率よく実施させるための装置としては、たとえば、アクリル酸、酸化エチレン、メタクリル酸メチル、その他の各種化学物質の製造プロセスで広く用いられている多管式反応器（チューブラーリアクター）がある。
【０００４】
上記多管式反応器には、大別して管内触媒形式と、管外触媒形式のものがある。
【０００５】
このうち、管内触媒形式の多管式反応器は、一般に、反応容器の一端部に、管板によって仕切られた原料の分配室が設けてあると共に、上記反応容器の他端部に、別の管板によって仕切られた反応生成物の集合室が設けてある。且つ上記各管板同士の間には、平行な複数の反応管による管群が配置してあり、各反応管の両端部は、上記各管板に穿設してある貫通孔にそれぞれ取り付けて、上記分配室と集合室に連通させるようにしてある。更に、上記各反応管の内部は、触媒を充填した構成とされている。
【０００６】
ところで、上記のように各反応管の内部に触媒を充填する場合は、各反応管の両端部のうち、少なくとも重力作用方向側（下寄り）に配置されている端部（以下、下端部と称す）に、触媒の粒子（触媒自体の粒子、又は、触媒を担持させた担体粒子）は通過させないが、原料又は反応生成物の流体は通過させることができるようにした開口を備える触媒支持手段を設けて、各反応管内に充填される触媒が脱落しないように支持させる必要がある。
【０００７】
上記触媒支持手段の１つとしては、上記多管式反応器における各反応管の下端部が取り付けられている管板の下側に、上記触媒の粒子のサイズよりも細かい目の金網を配置し、更に、該金網の下側に、上記各反応管の内部に充填される触媒の重量を、上記金網ごと下方から支持するための多孔板（金網支持板）を設けた構成が、広く一般的に採用されている。
【０００８】
又、触媒支持手段の別の形式のものとしては、たとえば、略円錐形状のコイルスプリングを、管板に取付けられている各反応管内に下方より挿入して、該コイルスプリングの下端部を、該管板の下側に配置されている金網支持板の開口部に備えた突起（ストッパ）に係止させるようにしたものが従来提案されている（たとえば、特許文献１（第５頁、図７）参照）。
【先行技術文献】
【特許文献】
【０００９】
【特許文献１】特開２００６−１４２２９９号公報
【発明の概要】
【発明が解決しようとする課題】
【００１０】
ところが、各反応管の下端部が取り付けられた反応容器下端寄りの管板の下側に、触媒支持用の金網と多孔板を設ける構成では、上記各反応管の下端部と管板との溶接部分が、上記金網や多孔板によって覆われてしまうために、該各反応管の溶接部分の点検や保守に手間と時間を要する。更に、上記各反応管の維持管理を行う際には、上記金網や多孔板を全体的に取り外す必要が生じるため、各反応管を個別に維持管理することはできないというのが実状である。
【００１１】
又、上記特許文献１に示された略円錐形状のコイルスプリングによる触媒支持手段を採用する構成では、コイルスプリングを支持する突起が必要であり、その突起は、反応容器下端寄りの管板の下方に備えた金網支持板に設ける必要がある。このため、上記と同様に、各反応管と管板との溶接部分の点検や保守に手間と時間を要してしまう。
【００１２】
そこで、本発明は、上記反応容器や各反応管に突起の如き支持手段を設けることなく各反応管内に保持できるようにし、上記管板に対する各反応管の溶接部分の点検と保守が容易に実施できる反応管用触媒支持装置を提供しようとするものである。
【課題を解決するための手段】
【００１３】
本発明は、上記課題を解決するために、請求項１に対応して、多管式反応器の触媒を充填する反応管の少なくとも重力作用方向に位置する端部に触媒が脱落しないように取り付けるための反応管用触媒支持装置であって、弾性を有する線材を上記反応管の内径寸法よりも大きい外径寸法を有するコイル形状に巻いたコイル巻き部と、触媒は通過させないが流体は通過させる大きさの開口を備えて、上記コイル巻き部の軸方向の一端側に設けた触媒受け部と、上記コイル巻き部の内側から上記触媒受け部に対しコイル巻き部の巻きを増加させるように回転させる方向の力を付与するための係止部と、上記コイル巻き部の軸方向の他端側に、コイル巻き部の巻きを増加させるように回転させる方向の力を付与するために設けた捩じり力付与部とを備えてなる構成を有する反応管用触媒支持装置とする。
【００１４】
又、請求項２に対応して、上記請求項１に対応する構成において、コイル巻き部は、軸方向に配列される各周回の線材同士が接するコイル形状とした構成とする。
【００１５】
更に、請求項３に対応して、上記請求項１又は２に対応する構成において、触媒受け部は、コイル巻き部の軸方向に直交する面内に配置されるものとした構成とする。
【００１６】
更に、請求項４に対応して、上記請求項１から請求項３のいずれか一項に対応する構成において、コイル巻き部と捩じり力付与部との間に、コイル巻き部の軸方向に平行に延びる挿入量調整部を備えるようにした構成とする。
【発明の効果】
【００１７】
本発明によれば、以下のような優れた効果を発揮する。 
（１）請求項１に示した構成を有する反応管用触媒支持装置は、触媒受け部の係止部と、捩じり力付与部に、コイル巻き部の巻きを増加させる方向に相対的に回転させる方向の力を付与して、コイル巻き部の外径寸法を縮径させた状態で反応管に挿入し、次いで、上記力を解除することで、上記コイル巻き部の復元力により該コイル巻き部の外周を、反応管の内周面に密着させ、この密着部分に生じる摩擦力で、反応管に充填される触媒を支持することができるようになる。 
（２）したがって、各反応管には個別の反応管用触媒支持装置が取り付けられるようになる。このため、各反応管の下端部が取り付けられた管板の下方に金網や金網支持板を配置する必要をなくすことができて、上記管板に対する各反応管の溶接部分の点検と保守を容易に実施することができる。更に、各反応管は、個別に維持管理することができる。 
（３）又、反応管が常温から触媒を用いた生成反応時に設定される温度までの温度変化に伴って膨張や収縮を生じても、該反応管の内径寸法の変化は、コイル巻き部の弾性変形により吸収することができる。よって、本発明の反応管用触媒支持装置は、上記反応管の温度変化に影響を受けることなく、触媒の支持を良好に実施することができる。
【図面の簡単な説明】
【００１８】
【図１】本発明の反応管用触媒支持装置の実施の一形態を示すもので、（ａ）は概略側面図、（ｂ）は（ａ）のＡ−Ａ方向矢視図、（ｃ）は（ａ）のＢ−Ｂ方向矢視図である。
【図２】図１の反応管用触媒支持装置の使用状態を示す概要図である。
【図３】本発明の実施の他の形態を示すもので、（ａ）は概略側面図、（ｂ）は（ａ）のＣ−Ｃ方向矢視図である。
【発明を実施するための形態】
【００１９】
以下、本発明を実施するための形態を図面を参照して説明する。
【００２０】
図１（ａ）（ｂ）（ｃ）及び図２は本発明の反応管用触媒支持装置１の実施の一形態を示すものである。
【００２１】
本発明の反応管用触媒支持装置１（以下、単に、本発明の触媒支持装置と云う）は、弾性を有する線材２を、多管式反応器（図示せず）の反応管ｔの内径寸法ｙ（図２参照）よりも大きな外径寸法ｘ（図１（ａ）参照）を有するコイル状（弦巻状）に巻いたコイル巻き部３を有する。更に、上記コイル巻き部３の軸方向の一端側には、触媒受け部４を設けると共に、他端側には、捩じり力付与部５を備えた挿入量調整部９を有する構成としてある。
【００２２】
ところで、上記多管式反応器（図示せず）では、常温から、各反応管ｔにて生成反応を進行させる使用時の温度条件までの温度範囲内での温度変化に伴われて、上記各反応管ｔが膨張や収縮を生じるため、該各反応管ｔの内径寸法ｙも変化する。
【００２３】
この点に鑑みて、上記コイル巻き部３は、その外径寸法ｘが、上記各反応管ｔが温度変化する温度範囲の全域に亘り、該コイル巻き部３と同じ温度の反応管ｔの内径寸法ｙよりも常に大きくなるように設定してある。これにより、後述するように本発明の触媒支持装置１を、上記コイル巻き部３を縮径させて反応管ｔの内側に挿入して装着させた状態では、上記温度範囲の全域で、該コイル巻き部３の外周部を、上記反応管ｔの内周面に全周に亘り密着させることができるようにしてある。
【００２４】
更に、上記温度範囲内の全域で、原料や反応生成物の流体が存在する条件の下であっても、本発明の触媒支持装置１を反応管ｔ内に装着させた状態では、上記コイル巻き部３の外周部と、上記反応管ｔの内周面との密着部分に生じる摩擦力により、本発明の触媒支持装置１は、上方より作用する反応管ｔ内の触媒ｃの重量を支持することができるように、上記コイル巻き部３を形成する線材２の太さや断面形状や弾性、コイル巻き部３の外径寸法ｘや巻き数が設定されている。なお、これらの設定は、たとえば、上記反応管ｔと同様の管に本発明の触媒支持装置１を装着して、実際の反応管ｔに充填される触媒ｃの比重と量から算出される重量に或る安全率を見込んだ荷重を掛けても、本発明の触媒支持装置１の脱落が生じないという結果が得られるようにすればよい。
【００２５】
上記コイル巻き部３のピッチは、コイル形状に巻かれた状態で軸方向に並んで配列される各周回の線材２同士が、互いに接するように設定してある。これにより、上記コイル巻き部３は、後述するように反応管ｔ内に充填される触媒ｃ（図２参照）の重量が上記触媒受け部４を介して軸方向の一端側から作用するときに、該触媒ｃの重量が変化しても、該コイル巻き部３の軸方向の寸法が圧縮されることなく一定に保持されるようにしてある。
したがって、本発明の触媒支持装置１では、上記反応管ｔ内に充填される触媒ｃの下端側の位置を、該触媒ｃの重量の影響を受けることなく、上記触媒受け部４の位置で規定することができるようにしてある。よって、上記多管式反応器（図示せず）の使用時には、各反応管ｔの軸方向における生成反応が進行する領域の下端側位置を、上記本発明の触媒支持装置１における触媒受け部４の位置で規定することができるようにしてある。
【００２６】
上記触媒受け部４は、上記コイル巻き部３を形成している線材２の一端側を、上記コイル巻き部３の軸方向に直交する面内で、渦巻き形状に巻いた構成としてある。且つ上記触媒受け部４における上記渦巻き形状に巻いた線材２の各周回の線材２同士の間には、触媒ｃの粒子の粒径よりも小さい幅寸法で螺旋方向に延びる開口６が形成されている。これにより、上記触媒受け部４は、上記開口６では触媒ｃの粒子の脱落を防止する一方、原料や反応生成物といった流体は流通させることができるようにしてある。
【００２７】
しかも、上記触媒受け部４は、上記コイル巻き部３の軸方向に直交する面内に配置させてあるので、本発明の触媒支持装置１では、上記反応管ｔ内に充填される触媒ｃの下端側の位置を、上記触媒受け部４の配置された平面に沿わせた位置で規定することができるようにしてある。よって、上記多管式反応器（図示せず）の使用時には、各反応管ｔの軸方向における生成反応が進行する領域の下端側位置が、各反応管ｔの断面内で軸方向に揃うようにしてある。
【００２８】
更に、上記触媒受け部４は、その中央部に、上記線材２を上記コイル巻き部３の直径方向に沿わせて配置させた係止部７が設けてある。これにより、上記触媒受け部４の係止部７には、図１（ａ）（ｂ）に二点鎖線で示すように、上記コイル巻き部３の内側を軸方向の他端側より挿入させるロッド状の治具８の先端部に備えたクレビス状（二股形状）の係合用突部８ａを係止させることができるようにしてある。この状態で、挿入量調整部９を介してコイル巻き部３と一体の捩じり力付与部５を固定して、上記触媒受け部４の渦巻き形状としてある線材２の巻きを強める方向に上記治具８を捻ることにより、上記係止部７及び上記触媒受け部４を介して、上記コイル巻き部３の一端側には、該コイル巻き部３の軸を中心とする回転方向の力を付与することができるようにしてある。
【００２９】
上記捩じり力付与部５は、上記コイル巻き部３を形成している線材２の他端部を、該コイル巻き部３の直径に沿う配置で該コイル巻き部３の径方向内向きに突出させた構成としてある。これにより、上記捩じり力付与部５を、たとえば、クランプのような所定の隙間を備えた図示しない治具により挟んで保持した状態で該治具を捻ることにより、上記捩じり力付与部５を介して上記コイル巻き部３の他端側に、該コイル巻き部３の軸を中心とする回転方向の力を付与することができるようにしてある。
【００３０】
したがって、本発明の触媒支持装置１では、上記触媒受け部４の係止部７に係合用突部８ａを係止させる上記ロッド状の治具８と、上記捩じり力付与部５を挟んで保持させる図示しない治具を用いて、上記コイル巻き部３の一端部と他端部に、その巻きを増加させる向きの相対的に捻る力を付与することにより、該コイル巻き部３の線材２を弾性変形させて、該コイル巻き部３の外径寸法を縮径させることができるようにしてある。
【００３１】
上記コイル巻き部３の他端側（反触媒受け部４側）と、上記捩じり力付与部５との間に線材２を直線状に延ばして設けてある挿入量調整部９は、反応管ｔ内に装着する触媒受け部４の位置を決めるものである。
【００３２】
そのために、上記挿入量調整部９の長さ寸法は、図２に示すように、本発明の触媒支持装置１を、対応する反応管ｔの下端部より挿入して、上記捩じり力付与部５が、上記反応管ｔの下端部近傍となる位置のときに、上記触媒受け部４を、該反応管ｔが取り付けてある管板ｐよりも反応容器内側となる位置に配置させた状態とすることができるように設定してあるものとする。
【００３３】
以上の構成としてある本発明の触媒支持装置１を使用する場合は、先ず、本発明の触媒支持装置１に対し、前述したようにコイル巻き部３の他端側から該コイル巻き部３の内側を挿入させて、先端部の係合用突部８ａを触媒受け部４の係止部７に係止させたロッド状の治具８と、捩じり力付与部５を保持した図示しない治具を用いて、上記コイル巻き部３に、その巻きを増加させる向きの相対的に捻る力を付与して、該コイル巻き部３の巻きを増加させることにより、該コイル巻き部３の外径寸法ｘを、反応管ｔの内径寸法ｙよりも小さくなるまで縮径させる。
【００３４】
次に、上記コイル巻き部３を縮径させた状態の本発明の触媒支持装置１は、反応管ｔの下端部に、触媒受け部４側より挿入する。この際、本発明の触媒支持装置１の反応管ｔへの挿入量は、上記ロッド状の治具８及び図示しない治具により、上記捩じり力付与部５が反応管ｔの下端部に位置するように調整することができる。
【００３５】
次いで、上記ロッド状の治具８と、図示しない治具により付与していた本発明の触媒支持装置１のコイル巻き部３の捻り力を解除すると、上記コイル巻き部３の縮径状態からの復元力により、該コイル巻き部３の外周部は、上記反応管ｔの内周面に周方向の全体に亘り密着するようになる。
【００３６】
その後、上記ロッド状の治具８及び図示しない治具を取外して撤去するようにする。
【００３７】
多管式反応器（図示せず）のすべての反応管ｔごとに上記動作を繰り返すことにより、上記本発明の触媒支持装置１は、各反応管ｔの下端部に挿入された状態になる。この際、上記コイル巻き部３は、上記反応管ｔの内周面に密着し、該密着個所に摩擦力が生じるようになる。よって、その後は、上記反応管ｔ内に上端側から触媒を充填する。充填された該触媒ｃは、本発明の触媒支持装置１における触媒受け部４の上側に受けられると共に、該触媒ｃの重量を、上記コイル巻き部３の外周部と反応管ｔの内周面との密着部分に生じる摩擦力によって支持させることができる。
【００３８】
このように、本発明の触媒支持装置１は、各反応管ｔの下端部に個別に挿入して密着させることにより、該各反応管ｔに充填される触媒ｃをそれぞれ支持することができる。
【００３９】
よって、上記本発明の触媒支持装置１を使用する場合は、上記各反応管ｔの下端部が取り付けてある管板ｐの下方に金網や金網支持板を設ける必要をなくすことができる。これにより、上記管板ｐに対する上記各反応管ｔの溶接部分の点検や保守を容易に実施することができるようになる。
【００４０】
更に、上記本発明の触媒支持装置１は、各反応管ｔの下端部に個別に取り付けるようにしてあるために、各反応管ｔを個別に維持管理することができる。
【００４１】
上記において、本発明の触媒支持装置１は、挿入量調整部９を備えているため、対象となる反応管ｔの下端から捩じり力付与部５がわずかに突出（露出）する状態となるまで順次挿入することにより、上記各反応管ｔの下端部に対する本発明の触媒支持装置１の挿入量を均一に管理することができる。しかも、反応管ｔごとに上記捩じり力付与部５を目視で確認することにより、本発明の触媒支持装置１が取り付けられていない反応管ｔや、取付け方に不良が生じている反応管ｔを容易に発見することができる。よって、本発明の触媒支持装置１の反応管ｔへの取付け漏れや、取付け方の不良を容易に修正することができるようになる。
【００４２】
又、本発明の触媒支持装置１のコイル巻き部３は、軸方向に並んで配列される各周回の線材２同士が互いに接するようにした形状としてあるために、反応管ｔに充填される触媒ｃの重量の変化にかかわらず、触媒受け部４の反応管ｔ内での位置を一定に保持させることができる。
【００４３】
更に、上記触媒受け部４は、上記コイル巻き部３の軸方向に直交する面内に配置されているため、該触媒受け部４で受けられる触媒ｃの充填領域の下端部を、反応管ｔ内で平坦にすることができる。したがって、多管式反応器（図示せず）では、使用時に、各反応管ｔの軸方向における生成反応を進行させる領域の下端側位置を、反応管ｔごとのばらつきを抑えて、均一に保持することができるようになる。
【００４４】
なお、本発明の触媒支持装置１が反応管ｔ内に装着された状態で、反応管ｔが常温から生成反応時に設定される温度までの温度変化に伴って膨張や収縮を生じても、該反応管ｔの内径寸法ｙの変化は、コイル巻き部３の弾性変形により吸収することができるため、本発明の触媒支持装置１は、上記反応管ｔの温度変化に影響を受けることなく、触媒ｃの支持を良好に実施することができる。
【００４５】
次に、図３（ａ）（ｂ）は本発明の実施の他の形態として、図１（ａ）（ｂ）（ｃ）の実施の形態の応用例を示すものである。
【００４６】
すなわち、本実施の形態の触媒支持装置１Ａは、図１（ａ）（ｂ）（ｃ）に示したと同様の構成において、触媒受け部４を、線材２を渦巻き形状に巻いた構成とすることに代えて、反応管ｔに充填する触媒ｃ（図２参照）の粒径よりも小さい径の開口１１を有する多孔板形式の触媒受け部１０を備える構成としたものである。
【００４７】
上記多孔板形式の触媒受け部１０は、その外径寸法が、反応管ｔの内径寸法ｙ（図２参照）よりも小さく、且つ該触媒受け部１０を反応管ｔの内部に配置したときに、該触媒受け部１０の外周端と反応管ｔの内周面との間に上記触媒ｃの粒径以上の隙間が形成されないように設定してあるものとしてあり、コイル巻き部３に臨む側の面を、該コイル巻き部３を形成している線材２の一端側に、溶接や図示しないボルトとナットやリベット等の接続手段により一体に接続するようにしてある。
【００４８】
更に、上記触媒受け部１０は、中央付近の２つの開口１１を、図１（ａ）（ｂ）に二点鎖線で示した治具８と同様の治具８の係合用突部８ａを差し込むことができるような配置及びサイズとして、該２つの開口１１の間の部分を、上記治具８の係合用突部８ａを係止させて回転方向の力を付与するための係止部７として機能させることができるようにしてある。
【００４９】
その他の構成は図１（ａ）（ｂ）（ｃ）に示したものと同様であり、同一のものには同一の符号が付してある。
【００５０】
本実施の形態の触媒支持装置１Ａによっても、図１（ａ）（ｂ）（ｃ）及び図２の実施の形態の触媒支持装置１と同様に使用することで、同様の効果を得ることができる。
【００５１】
なお、本発明は、上記実施の形態にのみ限定されるものではなく、コイル巻き部３を形成する線材の太さや弾性、コイル巻き部３の外径や巻き数は、適用対象となる多管式反応器の反応管ｔの寸法や、該反応管ｔに充填される触媒ｃの重量、温度条件等に応じて適宜設定すればよい。
【００５２】
図１（ａ）（ｂ）（ｃ）及び図２の実施の形態における触媒受け部４の渦巻形状のピッチや、図３の実施の形態における多孔板形式の触媒受け部１０の開口のサイズや配置や数は、反応管ｔに充填する触媒ｃの粒径や、流体として流通させる原料や反応生成物の性状等に応じて適宜変化させてよいことは勿論である。
【００５３】
更に、触媒受け部は、反応管ｔに充填される触媒ｃを支持することができると共に、流体の原料や反応生成物を通過させることができるようにしてあれば、図示した触媒受け部４，１０以外の任意の形式のものを採用してもよいことは勿論である。
【００５４】
係止部７は、コイル巻き部３の内側から触媒受け部４，１０に対してコイル巻き部３の巻きを増加させるように回転させる方向の力を付与できるようにしてあれば、図示した以外の任意の形式の係止部７を採用してもよい。又、上記係止部７に対して上記回転方向の力を付与するための治具は、上記係止部７の形式に応じて適宜変更してよいことは勿論である。
【００５５】
捩じり力付与部５は、コイル巻き部３の他端側に該コイル巻き部３の巻きを増加させる方向の力を付与することができるように、上記コイル巻き部３の径方向に延びる部分を備えていれば、図示した以外の任意の形状、サイズ、配置に適宜変更してもよいことは勿論である。
【００５６】
挿入量調整部９の長さ寸法は、本発明の触媒支持装置１，１Ａにおける触媒受け部４，１０を、所望される反応管ｔ内の触媒充填領域の下端位置に合わせて配置した状態で、コイル巻き部３の他端から、上記反応管ｔの下端までの距離寸法に応じて適宜変更してもよい。更に、上記のように触媒受け部４，１０を、所望される反応管ｔ内の触媒充填領域の下端位置に合わせて配置した状態で、コイル巻き部３の他端から、上記反応管ｔの下端までの距離寸法がゼロとなる場合は、挿入量調整部９を省略した構成としてよい。
【００５７】
その他本発明の要旨を逸脱しない範囲内で種々変更を加え得ることは勿論である。
【符号の説明】
【００５８】
１，１Ａ  触媒支持装置、２  線材、３  コイル巻き部、４  触媒受け部、５  捩じり力付与部、６  開口、７  係止部、９  挿入量調整部、１０  触媒受け部、１１  開口、ｃ  触媒、ｔ  反応管、ｘ  コイル巻き部の外径寸法、ｙ  反応管の内径寸法
【図１】
2014213256.tif 000003
【図２】
2014213256.tif 000004
【図３】
2014213256.tif 000005